(57)【要約】【課題】  従来技術は、打ち抜き刃で打ち抜き、プラスチック袋とかすを分離するのに上・下ローラで挟み引きちぎるが、微小接続部分が存在しているので的確に引きちぎれないで、微小接続部分を接続したまま、かすかプラスチック袋のどちらかに引っ張られたり、下流側のプラスチック袋を引っ張ってしまったりしていた。【解決手段】  プラスチックフィルム袋を打ち抜き、袋と打ち抜きカスを分離するため、上流部製袋装置の間欠送り動作に同調して打ち抜かれた袋２と打ち抜きカス３、４はベルトコンベア５で搬送し、ベルトコンベア５の終端部には袋２を分離する分離ロール６を袋２の上・下に設け、分離ロール６の動作は前記間欠送り動作に同調させ、同時に分離する袋２の最直近上流部７に存する袋２と横方向抜きカス３を同時に押圧する押え金具８を設け、押圧分離も間欠送り動作に同調作動させるセンサーと連動機構と制御装置とにより行う袋と抜きカスを分離する装置。【選択図】図１
2011062939.tif 000002
【特許請求の範囲】
【請求項１】
プラスチックフィルム等の包装材で構成される所定形状のプラスチック袋を製造する製袋装置に、プラスチックフィルムを間欠送りする間欠送り装置と、その間欠送り毎に、プラスチックフィルムがヒートシールされるヒートシール装置と、前記プラスチック袋の全周に対応する形状を有する前記プラスチックフィルムに対向する打ち抜き刃と、前記プラスチックフィルムの間欠送り毎に、前記打ち抜き刃を前記プラスチックフィルムに押し付け、前記打ち抜き刃によって前記プラスチック袋を打ち抜き、その打ち抜きにより形成されたプラスチック袋と打ち抜きカスを分離し、打ち抜きカスは巻き取り回収する巻き取り装置とからなるものにおいて、打ち抜き刃でプラスチックフィルム袋を打ち抜き、袋と打ち抜きカスを分離する上流部製袋装置の袋間欠送り動作に同調して打ち抜かれた袋と打ち抜きカスはベルトコンベアによって搬送し、そのベルトコンベアの終端部には袋を分離する為の分離ロールを袋の上・下に設け、この分離ロールの作動と前記間欠送り動作に同調させ、同時に分離する袋の最直近上流部に存する袋と横方向抜きカスを同時に押圧する押え金具を設け、押圧分離も前記間欠送り動作に同調作動させるセンサーと連動機構と制御装置とにより行うことを特徴とする袋と抜きカスを分離する装置。
【発明の詳細な説明】
【技術分野】
【０００１】
本発明は、プラスチックフィルム等の包装材でプラスチック袋を製造する製袋装置における打ち抜き刃で打ち抜いて袋と抜きカスを分離する装置に関するものである。
【背景技術】
【０００２】
従来技術としては、所定形状のプラスチック袋を製造する製袋機であって、プラスチックフィルムを間欠送りする間欠送り機構と、前記プラスチック袋の全周またはその一部に対応する形状を持ち、前記プラスチックフィルムに対向する打ち抜き刃と、前記プラスチックフィルムの間欠送り毎に、前記打ち抜き刃を前記プラスチックフィルムに押し付け、前記打ち抜き刃によって前記プラスチック袋を打ち抜き、そのかすが連続状態に維持されるようにする駆動機構と、前記プラスチック袋の打ち抜き後、前記かすを巻き取り、回収する巻き取り機構とからなる製袋機（例えば、特許文献１参照）が存在している。
【先行技術文献】
【特許文献】
【０００３】
【特許文献１】特開２００４−１６０７８０号公報（特許請求の範囲の欄、発明の詳細な説明の欄、及び図１〜図３を参照）
【発明の概要】
【発明が解決しようとする課題】
【０００４】
前記従来技術では、所定形状のプラスチック袋を製造するに際して、トムソン刃で打ち抜き後にかすが連続状態で形成される。このかすを巻き取り回収する巻き取り機構を設ける製袋機が開示されている。
しかしながら、前記従来技術では、複数層に重ね合わされたプラスチックフィルムが間欠送りされ、その間欠送り毎にヒートシール装置によってヒートシールされ、その後打ち抜き刃（特にトムソン刃で打ち抜く場合）でプラスチック袋を打ち抜くことでプラスチック袋を製造するものである。この製造の打ち抜きでは必ず横方向のかすや縦方向のかすが生じる。この横・縦方向のかすが連続状態に維持され、プラスチック袋の打ち抜き後、巻き取り機構によってかすが巻き取られ、回収されるとしているが、この従来の製袋機の場合、打ち抜き刃で打ち抜く時、必ず微小接続部分が形成されている。この状態でかすがガイドローラに案内され、下方に引き下げられ、プラスチック袋から引き離され、巻き取り機に巻き取られる。さらに、プラスチック袋排出機構によってプラスチック袋が引きちぎられ、排出されるものであるが、この構成でプラスチック袋とかすを分離するのに上・下ローラで挟み引きちぎるが、前記微小接続部分が存在しているので、的確に引きちぎれないで、前記微小接続部分を接続したまま、かすかプラスチック袋のどちらかに引っ張られたり、下流側（次に間欠打ち抜きされる側）のプラスチック袋を引っ張ってしまったりするという問題があった。
本発明は、これらの問題を解決した袋と抜きカスを分離する装置を提供するものである。
【課題を解決するための手段】
【０００５】
上記の目的を達成することができる本発明の第１発明は、請求項１に記載された通りの袋と抜きカスを分離する装置であり、次のようなものである。
プラスチックフィルム等の包装材で構成される所定形状のプラスチック袋を製造する製袋装置に、プラスチックフィルムを間欠送りする間欠送り装置と、その間欠送り毎に、プラスチックフィルムがヒートシールされるヒートシール装置と、前記プラスチック袋の全周に対応する形状を有する前記プラスチックフィルムに対向する打ち抜き刃と、前記プラスチックフィルムの間欠送り毎に、前記打ち抜き刃を前記プラスチックフィルムに押し付け、前記打ち抜き刃によって前記プラスチック袋を打ち抜き、その打ち抜きにより形成されたプラスチック袋と打ち抜きカスを分離し、打ち抜きカスは巻き取り回収する巻き取り装置とからなるものにおいて、打ち抜き刃でプラスチックフィルム袋を打ち抜き、袋と打ち抜きカスを分離する上流部製袋装置の袋間欠送り動作に同調して打ち抜かれた袋と打ち抜きカスはベルトコンベアによって搬送し、そのベルトコンベアの終端部には袋を分離する為の分離ロールを袋の上・下に設け、この分離ロールの作動と前記間欠送り動作に同調させ、同時に分離する袋の最直近上流部に存する袋と横方向抜きカスを同時に押圧する押え金具を設け、押圧分離も前記間欠送り動作に同調作動させるセンサーと連動機構と制御装置とにより行う構成である。
【発明の効果】
【０００６】
本発明に係る袋と抜きカスを分離する装置は、上記説明のような構成を有するので、以下に記載する効果を奏する。
（１）トムソン刃で打ち抜いて製品を製作する場合でも押え金具を、横方向抜きカスと、最直近上流部の袋の一部とを同時に押え、抜きカスと袋を分離するので、上流側の袋を引っ張ったり、袋と抜きカスを分離できずに抜きカスと袋が連続状態になってしまうことがなく、確実に抜きカスと袋を分離でき、袋のみを次の工程に移送することが可能になる。
【図面の簡単な説明】
【０００７】
【図１】本発明の袋と抜きカスを分離する装置を示す実施例の概略斜視図である。
【図２】本発明の袋と抜きカスを分離する装置の実施例である要部を示す平面図である。
【図３】本発明の袋と抜きカスを分離する装置を示す要部側面図である。
【図４】本発明のプラスチックフィルムをトムソン刃で打ち抜いた状態を示し、横方向のカス両側と中央の縦方向のカスができるもので、その他の横方向のカスには、切り欠け部が適宜複数個（本図では横方向のカス１本につき、２個形成したものが示されている。）形成されている状態を示す平面図である。
【発明を実施するための形態】
【０００８】
プラスチックフィルム等の包装材で構成される所定形状のプラスチック袋を製造する製袋装置に、プラスチックフィルムを間欠送りする間欠送り装置と、その間欠送り毎に、プラスチックフィルムがヒートシールされるヒートシール装置と、前記プラスチック袋の全周に対応する形状を有する前記プラスチックフィルムに対向する打ち抜き刃と、前記プラスチックフィルムの間欠送り毎に、前記打ち抜き刃を前記プラスチックフィルムに押し付け、前記打ち抜き刃によって前記プラスチック袋を打ち抜き、その打ち抜きにより形成されたプラスチック袋と打ち抜きカスを分離し、打ち抜きカスは巻き取り回収する巻き取り装置とからなるものにおいて、打ち抜き刃でプラスチックフィルム袋を打ち抜き、袋と打ち抜きカスを分離する上流部製袋装置の袋間欠送り動作に同調して打ち抜かれた袋と打ち抜きカスはベルトコンベアによって搬送し、そのベルトコンベアの終端部には袋を分離する為の分離ロールを袋の上・下に設け、この分離ロールの作動と前記間欠送り動作に同調させ、同時に分離する袋の最直近上流部に存する袋と横方向抜きカスを同時に押圧する押え金具を設け、押圧分離は前記間欠送り動作に同調作動させるセンサーと連動機構と制御装置を設けた袋と抜きカスを分離する装置である。
【実施例】
【０００９】
以下、本発明の一実施例を添付図面で詳細に説明する。
図１〜図４に基づいて詳細に説明すると、図１は袋と抜きカスを分離する装置の要部を示す概略斜視図、図２は同じく本発明の袋と抜きカスを分離する装置を示す概略平面図、図３は本発明の袋と抜きカスを分離する装置を示す概略側面図、図４は本発明の袋と抜きカスを分離する装置によって製品と抜きカスを打ち抜きで形成したプラスチックフィルムを示す拡大概略平面図である。
【００１０】
ここで、本発明の一実施例について図１〜図４に基づいて説明する。
本実施例は、製袋装置において、所定形状のプラスチック袋を製造するための袋と抜きカスを分離する装置である。
プラスチックフィルム１が複数層に重ね合わされ、間欠送り装置（図示せず）によってそれぞれ間欠送りされる。例えば、この間欠送り装置は、一対の送りローラからなり、プラスチックフィルム１は各送りローラ間に挟まれ、一定長さずつ間欠送りされる。
その間欠送り毎に、ヒートシール装置（図示せず）によってプラスチックフィルム１がヒートシール装置によってヒートシールされる。その後、プラスチックフィルム１の間欠送り毎に駆動機構（図示せず）によって切断刃が駆動され、例えばトムソン刃がプラスチックフィルム１に押し付けられ、プラスチックフィルム１が完全に打ち抜かれず、微小接続部分を残し、前記プラスチック袋と打ち抜きカスが接続された状態で間欠送りされる。
次の動作として、打ち抜き用トムソン刃でプラスチックフィルム１を打ち抜き後、製品、例えば袋２と打ち抜きカス、すなわち横方向抜きカス３と縦方向抜きカス４を分離して袋２を製作する。この時、上流部製袋装置（図示せず）の間欠送り動作に同調して袋２が打ち抜かれ、袋２と抜きカス３、４はベルトコンベア５によって搬送され、最終的に抜きカスは巻き取られる。そのベルトコンベア５の終端部には、袋２を分離するための分離ロール６が袋２を挟むように上下に配置されている。
この分離ロール６の動作を製袋装置の間欠送り動作に同調させて間欠送りし、同時にその最直近上流部７にある袋２と横方向抜きカス３とを同時に押圧する（押圧する範囲は横方向抜きカス３と、最直近上流部７の袋の一部である。）押え金具８を設置し、袋２と抜きカス３、４が押圧分離するように同調作動させることによって横方向抜きカス３に一部が切れていても問題なく抜きカス３、４と袋２の分離が確実にでき、袋を排出することが行われる。
【００１１】
尚、押え金具８は、袋の間欠送り、抜きカスの間欠送りと同調させて押圧し、この押え金具８は複数個設けられ、しかも横方向抜きカス３と最直近上流部７にある袋２の端部を押圧できるように配設するものである。
また、トムソン刃で切断する方式を採用しているが、このトムソン刃の形状で、微小接続部が形成されていると同時に、別の切断刃で横方向抜きカス３の部分に切り欠き部９を形成することもできる。これは、切り欠き部９（ノッチ）があると、従来の袋と抜きカスを分離する装置では、良好に袋の分離排出ができないことがあるが、本発明のように押え金具８を有することで、可能になったものである。
従来からトムソン刃で切り欠き部９を形成する場合、切り欠き部９の形状が種々あるため、これに対応するトムソン刃を用意することが極めて大変であり、費用もかさんでしまっていた。
これを解決して、前もって切り欠き部９の形状に合わせて切り欠き部９を形成しておくという従来技術は存在するが、これでは従来から存在する袋と抜きカスを分離する装置では良好に分離できないという問題があった。
本発明は、押え金具を有する袋と抜きカスを分離する装置を発明することで解決したものである。
【産業上の利用可能性】
【００１２】
平袋を製造する時、プラスチックフィルムを複数層に重ね合わせてヒートシールして連続して袋を成形し、この連続して間欠送りされてくるプラスチックフィルムをトムソン刃等の切断刃で切断して袋を製造するものであれば各種の製袋装置の袋と抜きカスを分離する装置に利用することができる。
【符号の説明】
【００１３】
１・・・・プラスチックフィルム
２・・・・袋
３・・・・横方向抜きカス
４・・・・縦方向抜きカス
５・・・・ベルトコンベア
６・・・・分離ロール
７・・・・最直近上流部
８・・・・押え金具
９・・・・切り欠き部
【図１】
2011062939.tif 000003
【図２】
2011062939.tif 000004
【図３】
2011062939.tif 000005
【図４】
2011062939.tif 000006